(57)【要約】  【課題】配線ボックスの有る所で、戻し配線をすることなく、各種通信方式の少なくとも一つの通信機器を簡単に接続する。  【解決手段】  加入者線接続端子１３１、電話コンセント接続端子１３２、ハブ１６を備える配線ボックス１を設け、この配線ボックス１の近傍に、加入者線接続端子１３１と通信機器のライン端子からのケーブルとを電気的に接続する通信機器接続端子２１と、電話コンセント接続端子１３２と通信機器の電話端子からのケーブルとを電気的に接続する電話用ライン接続端子２２と、ハブ１６と通信機器のＬＡＮ端子からのケーブルとを電気的に接続するＬＡＮ用ライン接続端子２３とを備えた。【選択図】図１
2005318449.tif 000002
【特許請求の範囲】
【請求項１】
電気通信事業者の電気通信設備による加入者線のケーブルと接続される加入者線接続端子と、部屋に設置された電話コンセントからのケーブルと接続される電話コンセント接続端子と、部屋に設置されたＬＡＮコンセントからのケーブルと接続されるハブとを備える配線ボックスにより構成され、
ライン端子、電話端子およびＬＡＮ端子を備え、自己のライン端子に電気的に接続される前記加入者線のラインを電話用のラインとＬＡＮ用のラインとに分けて自己の電話端子および自己のＬＡＮ端子にそれぞれ接続するとともに、それら電話用のラインとＬＡＮ用のラインとを統合して自己のライン端子に接続する機能を有する少なくとも一つの通信機器と接続される接続方式に少なくとも対応する配線装置であって、
前記加入者線接続端子と接続されるとともに、前記少なくとも一つの通信機器のライン端子からのケーブルと接続され、これらケーブルおよび加入者線接続端子を電気的に接続する通信機器接続端子と、
前記電話コンセント接続端子と接続されるとともに、前記少なくとも一つの通信機器の電話端子からのケーブルと接続され、これらケーブルおよび前記電話コンセント接続端子を電気的に接続する電話用ライン接続端子と、
前記ハブと接続されるとともに、前記少なくとも一つの通信機器のＬＡＮ端子からのケーブルと接続され、これらケーブルおよび前記ハブを電気的に接続するＬＡＮ用ライン接続端子とを備え、
これら通信機器接続端子、電話用ライン接続端子およびＬＡＮ用ライン接続端子が前記配線ボックス近傍に配置されることを特徴とする配線装置。
【請求項２】
前記配線ボックスの近傍には、前記少なくとも一つの通信機器を設置する設置手段が設けられ、
前記配線ボックスは、前記通信機器接続端子、前記電話用ライン接続端子および前記ＬＡＮ用ライン接続端子として、それぞれ通信機器用モジュラジャック、電話用モジュラジャックおよびＬＡＮ用モジュラジャックを一体に備えることを特徴とする請求項１記載の配線装置。
【請求項３】
前記配線ボックスは、前記加入者線接続端子と接続される機器用端子と、前記電話コンセント接続端子と接続される電話用端子とを一体に備え、
前記通信機器接続端子、前記電話用ライン接続端子および前記ＬＡＮ用ライン接続端子は、前記配線ボックス近傍の周辺に別置され、
前記通信機器接続端子および前記電話用ライン接続端子からのケーブルは、それぞれ前記機器用端子および前記電話用端子に接続される一方、前記ＬＡＮ用ライン接続端子からのケーブルは前記ハブに接続されることを特徴とする請求項１記載の配線装置。
【請求項４】
前記設置手段は、前記配線ボックスが設置される壁の下側に垂直に取り付けられる棚または前記配線ボックスが設置される壁の側方に平行に取り付けられる取付板であることを特徴とする請求項２記載の配線装置。
【請求項５】
前記配線ボックスは、接続形態が前記接続方式である場合には、前記加入者線接続端子を前記通信機器接続端子に接続する一方、接続形態が前記接続方式でない場合には、前記加入者線接続端子を少なくとも前記電話用ライン接続端子に接続するスイッチを備えることを特徴とする請求項１から４のいずれかに記載の配線装置。
【請求項６】
前記スイッチは、前記通信機器接続端子の内部に設けられ、前記通信機器接続端子と前記電話用ライン接続端子との間に介設されるｂ回路スイッチであり、接続形態が前記接続方式であり、前記少なくとも一つの通信機器のライン端子からのケーブルが前記通信機器接続端子に接続される場合には、前記通信機器接続端子および前記電話用ライン接続端子間を開とする一方、接続形態が前記接続方式でなく、前記少なくとも一つの通信機器のライン端子からのケーブルが前記通信機器接続端子に接続されない場合には、前記通信機器接続端子および前記電話用ライン接続端子間を閉とすることを特徴とする請求項５記載の配線装置。
【請求項７】
前記配線ボックスは、前記加入者線接続端子を含むとともに、前記電話コンセント接続端子を複数含む端子台を備え、
この端子台は、前記複数の電話コンセント接続端子の各々と前記電話用ライン接続端子とを電気的に接続するための接続回路部を備えていることを特徴とする請求項１から６のいずれかに記載の配線装置。
【請求項８】
電源コンセントを前記配線ボックスと一体または別体で備えることを特徴とする請求項１から７のいずれかに記載の配線装置。
【請求項９】
前記配線ボックスはボディおよびカバーにより構成され、前記ボディは配線器具の取付枠をねじ止めするための螺着部を有していることを特徴とする請求項８記載の配線装置。
【請求項１０】
前記配線ボックスはボディおよびカバーにより構成され、前記ボディは、配線器具の取付枠に対応する取付枠部を一体に有していることを特徴とする請求項８記載の配線装置。
【請求項１１】
前記配線ボックスは、ボディおよびカバーにより構成され、前記加入者線接続端子と、前記電話コンセント接続端子と、前記ハブと、前記通信機器接続端子と、前記電話用ライン接続端子と、前記ＬＡＮ用ライン接続端子と、電源コンセントとを内部に収納し、
前記カバーは、少なくとも、前記電源コンセント、前記通信機器接続端子、前記電話用ライン接続端子および前記ＬＡＮ用ライン接続端子を使用可能に露出する窓孔を有していることを特徴とする請求項１から１０のいずれかに記載の配線装置。
【請求項１２】
前記配線ボックスは、前記ハブの接続部が自己の側方を向くようにそのハブを収納し、前記ボディは、前記ＬＡＮコンセントからのケーブルを接続するための空所を前記ハブの接続部周辺に有していることを特徴とする請求項１１記載の配線装置。
【請求項１３】
前記カバーは、複数のカバーにより構成され、これら複数のカバーのうち、一つのカバーを取り外した場合に、前記ハブの接続部が使用可能に露出することを特徴とする請求項１１記載の配線装置。
【請求項１４】
前記少なくとも一つの通信機器は、スプリッタおよびルータ内蔵ＡＤＳＬモデムであることを特徴とする請求項１から１３のいずれかに記載の配線装置。
【請求項１５】
前記少なくとも一つの通信機器は、ルータおよびＩＰ電話アダプタであることを特徴とする請求項１から１３のいずれかに記載の配線装置。
【請求項１６】
ライン端子およびＬＡＮ端子を備え、自己のライン端子に電気的に接続される電気通信事業者の電気通信設備による通信網用のラインをＬＡＮ用のラインにして自己のＬＡＮ端子に接続するとともに、そのＬＡＮ用のラインを電気通信事業者の電気通信設備による通信網用のラインにして自己のライン端子に接続する機能を有する少なくとも一つの通信機器と接続される接続方式にも対応し、
この接続方式の場合の少なくとも一つの通信機器は、ケーブルモデムおよびルータであることを特徴とする請求項５から１３のいずれかに記載の配線装置。
【請求項１７】
ライン端子およびＬＡＮ端子を備え、自己のライン端子に電気的に接続される電気通信事業者の電気通信設備による通信網用のラインをＬＡＮ用のラインにして自己のＬＡＮ端子に接続するとともに、そのＬＡＮ用のラインを電気通信事業者の電気通信設備による通信網用のラインにして自己のライン端子に接続する機能を有する少なくとも一つの通信機器と接続される接続方式にも対応し、
この接続方式の場合の少なくとも一つの通信機器は、ＦＴＴＨ用メディアコンバータおよびルータであることを特徴とする請求項５から１３のいずれかに記載の配線装置。
【請求項１８】
前記配線ボックスは、開口を有するボディと、このボディの開口を開閉自在に閉塞する扉式のカバーとにより構成されていることを特徴とする請求項１から１７のいずれかに記載の配線装置。
【請求項１９】
前記配線ボックスは、ボディと、このボディに着脱自在に係止する係止部を両側面部に有するカバーとにより構成されていることを特徴とする請求項１から１７のいずれかに記載の配線装置。
【請求項２０】
前記配線ボックスは、ボディおよびカバーにより構成され、前記カバーは、前記ボディにねじまたは磁石により固定されることを特徴とする請求項１から１７のいずれかに記載の配線装置。
【発明の詳細な説明】
【技術分野】
【０００１】
本発明は、加入者線と接続される加入者線接続端子と、部屋に設置された電話コンセントおよびＬＡＮコンセントからのケーブルとそれぞれ接続される電話コンセント接続端子およびハブとを備える配線ボックスにより構成される配線装置に関するものである。
【背景技術】
【０００２】
図２３は従来の配線装置に電話機および通信機器を接続した様子を示す図である。
【０００３】
この図に示す従来の配線装置は、図示しない端子台およびハブなどの各種内器が収納される配線ボックス１と、各部屋の壁に取り付けられた取付枠（図ではプレート枠６で隠れている）に取り付けられ、壁に埋設される配線器具としての電話コンセント５１，５１およびＬＡＮコンセント５２とにより構成されている。
【０００４】
上記内器としての端子台は、加入者線と接続されるとともに、各電話コンセント５１とケーブル（２線ケーブル）Ｃ２を介して接続される。また、端子台において、各取付枠に取り付けられる各中段の電話コンセント５１および各下段の電話コンセント５１のうち、各中段の電話コンセント５１同士が極性（ラインＬ１，Ｌ２）別に相互接続され、各下段の電話コンセント５１同士が極性別に相互接続される。そして、端子台において、図２３の例では、各中段の電話コンセント５１が加入者線と極性別に接続される。
【０００５】
上記内器としてのハブは、スター型ＬＡＮで使われる集線装置であり、ＲＪ−４５規格のモジュラジャック式のポートを複数有し、各ポートが、各部屋に設置されたＬＡＮコンセント５２からのケーブル（８線ケーブル）Ｃ３と接続される。
【０００６】
上記構成の配線装置では、各下段の電話コンセント５１が加入者線と接続されていないため、そのままでは電話機９を接続しても電話をすることができないが、いずれかの取付枠に取り付けられた電話コンセント５１，５１およびＬＡＮコンセント５２に、通信機器９１，９２ａ，９２ｂを接続することにより、各下段の電話コンセント５１が加入者線と接続されるようになる。
【０００７】
例えば、通信機器９１，９２ａ，９２ｂがそれぞれスプリッタ、ＡＤＳＬモデム、ルータである場合、それらを所定ケーブルで図のように接続するとともに、スプリッタのライン端子と中段の電話コンセント５１とを所定ケーブルで接続し、スプリッタの電話端子と下段の電話コンセント５１とを所定ケーブルで接続し、ルータのＬＡＮ端子とＬＡＮコンセント５２とを所定ケーブルで接続すればよい。これにより、各取付枠に取り付けられた下段の電話コンセント５１に電話機９を接続することにより電話をすることができるとともに、各取付枠に取り付けられたＬＡＮコンセント５２にインターネット端末を接続することによりインターネットを介したデータ通信が可能になる。
【０００８】
なお、特許文献１には、マルチメディアコンセントのＩＳＤＮ用モジュラジャックにＩＳＤＮ用端末を接続するだけでＩＳＤＮ用端末の室内側での使用ができ、しかもマルチメディアコンセントのＬＡＮ用モジュラジャックにＬＡＮ用機器を接続するだけで、ＬＡＮを構築することができ、簡単にＬＡＮへのグレードアップが図れるマルチメディア対応先行配線システムが開示されている。
【特許文献１】特開２０００−３４１７２４号公報
【発明の開示】
【発明が解決しようとする課題】
【０００９】
しかしながら、図２３に示した従来の配線装置では、配線ボックス１の設置場所とは異なる各部屋に設けられたいずれかの組みの電話コンセント５１，５１およびＬＡＮコンセント５２に対して、通信機器を接続し、先行配線されたケーブルを戻し配線として使用しなければならなかった。
【００１０】
また、通信機器が接続された電話コンセント５１，５１およびＬＡＮコンセント５２には、電話機およびインタネット端末を接続することができない上、通信機器が接続されていない中段の電話コンセント５１に電話機９を接続することができないという問題もあった。
【００１１】
さらに、そのような問題を解決するべく、利用者が配線ボックス１の有る所で通信機器を接続しようとしても、配線ボックス１内の結線が非常に複雑であるため、通信機器を配線ボックス１に接続することは事実上不可能であった。
【００１２】
本発明は、上記事情に鑑みてなされたものであり、配線ボックスの有る所で、しかも配線ボックスの設置場所とは異なる部屋の電話コンセントおよびＬＡＮコンセントが無駄になる戻し配線をすることなく、各種通信方式の少なくとも一つの通信機器を簡単に接続することができる配線装置を提供することを目的とする。
【課題を解決するための手段】
【００１３】
上記課題を解決するための請求項１記載の発明は、電気通信事業者の電気通信設備による加入者線のケーブルと接続される加入者線接続端子と、部屋に設置された電話コンセントからのケーブルと接続される電話コンセント接続端子と、部屋に設置されたＬＡＮコンセントからのケーブルと接続されるハブとを備える配線ボックスにより構成され、ライン端子、電話端子およびＬＡＮ端子を備え、自己のライン端子に電気的に接続される前記加入者線のラインを電話用のラインとＬＡＮ用のラインとに分けて自己の電話端子および自己のＬＡＮ端子にそれぞれ接続するとともに、それら電話用のラインとＬＡＮ用のラインとを統合して自己のライン端子に接続する機能を有する少なくとも一つの通信機器と接続される接続方式に少なくとも対応する配線装置であって、前記加入者線接続端子と接続されるとともに、前記少なくとも一つの通信機器のライン端子からのケーブルと接続され、これらケーブルおよび加入者線接続端子を電気的に接続する通信機器接続端子と、前記電話コンセント接続端子と接続されるとともに、前記少なくとも一つの通信機器の電話端子からのケーブルと接続され、これらケーブルおよび前記電話コンセント接続端子を電気的に接続する電話用ライン接続端子と、前記ハブと接続されるとともに、前記少なくとも一つの通信機器のＬＡＮ端子からのケーブルと接続され、これらケーブルおよび前記ハブを電気的に接続するＬＡＮ用ライン接続端子とを備え、これら通信機器接続端子、電話用ライン接続端子およびＬＡＮ用ライン接続端子が前記配線ボックス近傍に配置されることを特徴とする。
【００１４】
この構成では、通信機器接続端子、電話用ライン接続端子およびＬＡＮ用ライン接続端子が配線ボックス近傍に配置されるので、配線ボックスの有る所で、しかも配線ボックスの設置場所とは異なる部屋の電話コンセントおよびＬＡＮコンセントが無駄になる戻し配線をすることなく、各種通信方式の少なくとも一つの通信機器を簡単に接続することができる。
【００１５】
請求項２記載の発明は、請求項１記載の配線装置において、前記配線ボックスの近傍には、前記少なくとも一つの通信機器を設置する設置手段が設けられ、前記配線ボックスは、前記通信機器接続端子、前記電話用ライン接続端子および前記ＬＡＮ用ライン接続端子として、それぞれ通信機器用モジュラジャック、電話用モジュラジャックおよびＬＡＮ用モジュラジャックを一体に備えることを特徴とする。この構成では、少なくとも一つの通信機器を配線ボックスの近傍に設置することができるので、少なくとも一つの通信機器と配線ボックスとの接続が容易となるほか、例えば、ＡＤＳＬやＩＰ電話サービスを使用した場合でも、各部屋でインターネットや電話を使用することができる。
【００１６】
請求項３記載の発明は、請求項１記載の配線装置において、前記配線ボックスは、前記加入者線接続端子と接続される機器用端子と、前記電話コンセント接続端子と接続される電話用端子とを一体に備え、前記通信機器接続端子、前記電話用ライン接続端子および前記ＬＡＮ用ライン接続端子は、前記配線ボックス近傍の周辺に別置され、前記通信機器接続端子および前記電話用ライン接続端子からのケーブルは、それぞれ前記機器用端子および前記電話用端子に接続される一方、前記ＬＡＮ用ライン接続端子からのケーブルは前記ハブに接続されることを特徴とする。この構成では、少なくとも一つの通信機器を配線ボックスの近傍に設置することができるので、少なくとも一つの通信機器と通信機器接続端子、電話用ライン接続端子およびＬＡＮ用ライン接続端子との接続が容易となるほか、例えば、ＡＤＳＬやＩＰ電話サービスを使用した場合でも、各部屋でインターネットや電話を使用することができる。
【００１７】
請求項４記載の発明は、請求項２記載の配線装置において、前記設置手段は、前記配線ボックスが設置される壁の下側に垂直に取り付けられる棚または前記配線ボックスが設置される壁の側方に平行に取り付けられる取付板であることを特徴とする。この構成では、設置可能な通信機器の制限を無くし、様々な通信機器を設置手段に設置することができる。
【００１８】
請求項５記載の発明は、請求項１から４のいずれかに記載の配線装置において、前記配線ボックスは、接続形態が前記接続方式である場合には、前記加入者線接続端子を前記通信機器接続端子に接続する一方、接続形態が前記接続方式でない場合には、前記加入者線接続端子を少なくとも前記電話用ライン接続端子に接続するスイッチを備えることを特徴とする。この構成では、例えば上記少なくとも一つの通信機器を使用しない場合、スイッチにより加入者線接続端子を少なくとも電話用ライン接続端子に接続することにより、加入者線接続端子が電話用ライン接続端子を介して電話コンセント接続端子に接続されるので、部屋に設置された電話コンセントに電話機を接続して電話をすることができる。
【００１９】
請求項６記載の発明は、請求項５記載の配線装置において、前記スイッチは、前記通信機器接続端子の内部に設けられ、前記通信機器接続端子と前記電話用ライン接続端子との間に介設されるｂ回路スイッチであり、接続形態が前記接続方式であり、前記少なくとも一つの通信機器のライン端子からのケーブルが前記通信機器接続端子に接続される場合には、前記通信機器接続端子および前記電話用ライン接続端子間を開とする一方、接続形態が前記接続方式でなく、前記少なくとも一つの通信機器のライン端子からのケーブルが前記通信機器接続端子に接続されない場合には、前記通信機器接続端子および前記電話用ライン接続端子間を閉とすることを特徴とする。この構成では、通信機器を使用しない場合、スイッチがオンになって加入者線接続端子が電話用ライン接続端子に切替接続されることにより、加入者線接続端子が電話用ライン接続端子を介して電話コンセント接続端子に接続されるので、部屋に設置された電話コンセントに電話機を接続して電話をすることができる。
【００２０】
請求項７記載の発明は、請求項１から６のいずれかに記載の配線装置において、前記配線ボックスは、前記加入者線接続端子を含むとともに、前記電話コンセント接続端子を複数含む端子台を備え、この端子台は、前記複数の電話コンセント接続端子の各々と前記電話用ライン接続端子とを電気的に接続するための接続回路部を備えていることを特徴とする。この構成では、配線ボックスの端子台に対して、複数の電話コンセントからの各ケーブルをスター配線で接続することができ、断線の影響を低減することができるほか、配線装置側での集中管理がし易くなる。
【００２１】
請求項８記載の発明は、請求項１から７のいずれかに記載の配線装置において、電源コンセントを前記配線ボックスと一体または別体で備えることを特徴とする。この構成では、電源コンセントに通信機器の電源プラグを接続することができるので、通信機器の電源接続が容易となる。
【００２２】
請求項９記載の発明は、請求項８記載の配線装置において、前記配線ボックスはボディおよびカバーにより構成され、前記ボディは配線器具の取付枠をねじ止めするための螺着部を有していることを特徴とする。この構成では、取付枠をボディにねじ止めすることにより、取付枠に電源コンセントを着脱自在に取り付けることができるので、電源コンセントの口数の変更が可能となり、通信機器の台数に合わせた電源の確保が可能となる。
【００２３】
請求項１０記載の発明は、請求項８記載の配線装置において、前記配線ボックスはボディおよびカバーにより構成され、前記ボディは、配線器具の取付枠に対応する取付枠部を一体に有していることを特徴とする。この構成では、取付枠部に電源コンセントを着脱自在に取り付けることができるので、電源コンセントの口数の変更が可能となり、通信機器の台数に合わせた電源の確保が可能となる。また、取付枠が不要となる。
【００２４】
請求項１１記載の発明は、請求項１から１０のいずれかに記載の配線装置において、前記配線ボックスは、ボディおよびカバーにより構成され、前記加入者線接続端子と、前記電話コンセント接続端子と、前記ハブと、前記通信機器接続端子と、前記電話用ライン接続端子と、前記ＬＡＮ用ライン接続端子と、電源コンセントとを内部に収納し、前記カバーは、少なくとも、前記電源コンセント、前記通信機器接続端子、前記電話用ライン接続端子および前記ＬＡＮ用ライン接続端子を使用可能に露出する窓孔を有していることを特徴とする。この構成では、施工者は、カバーを開けることにより、加入者線接続端子、電話コンセント接続端子およびハブに対する配線処理を行うことができる。一方、利用者は、カバーが閉まっている状態で、通信機器接続端子、電話用ライン接続端子およびＬＡＮ用ライン接続端子に対して、通信機器の配線処理を行うことができるほか、電源コンセントに通信機器の電源プラグを接続することができる。
【００２５】
請求項１２記載の発明は、請求項１１記載の配線装置において、前記配線ボックスは、前記ハブの接続部が自己の側方を向くようにそのハブを収納し、前記ボディは、前記ＬＡＮコンセントからのケーブルを接続するための空所を前記ハブの接続部周辺に有していることを特徴とする。この構成では、ＬＡＮコンセントからのケーブルを接続するための空所が、ハブの接続部周辺のボディに設けられているので、ＬＡＮコンセントからのケーブルをハブに接続し易くなる。
【００２６】
請求項１３記載の発明は、請求項１１記載の配線装置において、前記カバーは、複数のカバーにより構成され、これら複数のカバーのうち、一つのカバーを取り外した場合に、前記ハブの接続部が使用可能に露出することを特徴とする。この構成では、利用者は、上記一つのカバーを取り外すことにより、配線ボックス側に設置していても支障のないＬＡＮ機器をハブに接続することができる。
【００２７】
請求項１４記載の発明は、請求項１から１３のいずれかに記載の配線装置において、前記少なくとも一つの通信機器は、スプリッタおよびルータ内蔵ＡＤＳＬモデムであることを特徴とする。この構成では、電話コンセントおよびＬＡＮコンセントの有る部屋において、電話コンセントに電話機を接続することにより電話をすることができるとともに、ＬＡＮコンセントにインターネット端末を接続することにより、インターネットを介したデータ通信が可能となる。
【００２８】
請求項１５記載の発明は、請求項１から１３のいずれかに記載の配線装置において、前記少なくとも一つの通信機器は、ルータおよびＩＰ電話アダプタであることを特徴とする。この構成では、電話コンセントおよびＬＡＮコンセントの有る部屋において、電話コンセントにＩＰ電話機を接続することによりＩＰ電話をすることができるとともに、ＬＡＮコンセントにインターネット端末を接続することにより、インターネットを介したデータ通信が可能となる。
【００２９】
請求項１６記載の発明は、請求項５から１３のいずれかに記載の配線装置において、ライン端子およびＬＡＮ端子を備え、自己のライン端子に電気的に接続される電気通信事業者の電気通信設備による通信網用のラインをＬＡＮ用のラインにして自己のＬＡＮ端子に接続するとともに、そのＬＡＮ用のラインを電気通信事業者の電気通信設備による通信網用のラインにして自己のライン端子に接続する機能を有する少なくとも一つの通信機器と接続される接続方式にも対応し、この接続方式の場合の少なくとも一つの通信機器は、ケーブルモデムおよびルータであることを特徴とする。この構成では、電話コンセントおよびＬＡＮコンセントの有る部屋において、電話コンセントに電話機を接続することにより電話をすることができるとともに、ＬＡＮコンセントにインターネット端末を接続することにより、インターネットを介したデータ通信が可能となる。
【００３０】
請求項１７記載の発明は、請求項５から１３のいずれかに記載の配線装置において、ライン端子およびＬＡＮ端子を備え、自己のライン端子に電気的に接続される電気通信事業者の電気通信設備による通信網用のラインをＬＡＮ用のラインにして自己のＬＡＮ端子に接続するとともに、そのＬＡＮ用のラインを電気通信事業者の電気通信設備による通信網用のラインにして自己のライン端子に接続する機能を有する少なくとも一つの通信機器と接続される接続方式にも対応し、この接続方式の場合の少なくとも一つの通信機器は、ＦＴＴＨ用メディアコンバータおよびルータであることを特徴とする。この構成では、電話コンセントおよびＬＡＮコンセントの有る部屋において、電話コンセントに電話機を接続することにより電話をすることができるとともに、ＬＡＮコンセントにインターネット端末を接続することにより、インターネットを介したデータ通信が可能となる。
【００３１】
請求項１８記載の発明は、請求項１から１７のいずれかに記載の配線装置において、前記配線ボックスは、開口を有するボディと、このボディの開口を開閉自在に閉塞する扉式のカバーとにより構成されていることを特徴とする。この構成では、配線ボックスのカバーを簡単に開閉することができる。
【００３２】
請求項１９記載の発明は、請求項１から１７のいずれかに記載の配線装置において、前記配線ボックスは、ボディと、このボディに着脱自在に係止する係止部を両側面部に有するカバーとにより構成されていることを特徴とする。この構成では、配線ボックスのカバーを開閉することができるほか、カバーを閉めてボディに簡単に固定することができる。また、配線ボックスの下側に棚があってその棚に置かれた通信機器がカバー前方にあっても、カバーを取り外すことができる。
【００３３】
請求項２０記載の発明は、請求項１から１７のいずれかに記載の配線装置において、前記配線ボックスは、ボディおよびカバーにより構成され、前記カバーは、前記ボディにねじまたは磁石により固定されることを特徴とする。この構成では、カバーがねじによりボディに固定される場合には、カバーが容易に開かないようにすることができる一方、カバーが磁石によりボディに固定される場合には、カバーを簡単に開けることができる。
【発明の効果】
【００３４】
本発明によれば、配線ボックスの有る所で、しかも配線ボックスの設置場所とは異なる部屋の電話コンセントおよびＬＡＮコンセントが無駄になる戻し配線をすることなく、各種通信方式の少なくとも一つの通信機器を簡単に接続することができる。
【発明を実施するための最良の形態】
【００３５】
（実施形態１）
図１は本発明による実施形態１の配線装置の概略構成図、図２は同配線装置の斜視図、図３は同配線装置を構成する配線ボックス内の一部を示す図、図４は同配線装置に通信機器を接続した様子を示す図、図５は同配線装置のスイッチの回路図である。ただし、図１においてはスイッチの接続を省略してあり、スイッチの接続は図５に示してある。
【００３６】
本実施形態１の配線装置は、図１，図２，図４に示すように、壁に設置される配線ボックス１を備え、通信機器９１，９２が配線ボックス１近傍（配線ボックス１と通信機器９１，９２とを、例えば数十センチメートルから数メートルのモジュラケーブルで接続することができる距離内）に配置される構成になっている。
【００３７】
通信機器９１，９２は、配線ボックス１が設置される壁の下側に垂直に取り付けられる棚３１に設置されて使用される。本実施形態１では、図４に示すように、通信機器９１，９２は、それぞれスプリッタおよびルータ内蔵ＡＤＳＬモデムであり、ライン端子９３、電話端子９４およびＬＡＮ端子９５を備え、ＲＪ−１１規格のモジュラプラグを両端に有するモジュラケーブル９８を介して互いに接続されることにより、ライン端子９３に電気的に接続される加入者線のラインを電話用のラインとＬＡＮ用のラインとに分けて電話端子９４およびＬＡＮ端子９５にそれぞれ接続するとともに、それら電話用のラインとＬＡＮ用のラインとを統合してライン端子９３に接続する機能を有している。
【００３８】
これらの各端子のうち、ライン端子９３および電話端子９４は、ともにＲＪ−１１規格のモジュラジャックであり、通信機器９１に設けられている一方、ＬＡＮ端子９５は、ＲＪ−４５規格のモジュラジャックであり、通信機器９２に設けられている。また、モジュラケーブル９８は、通信機器９１におけるＲＪ−１１規格のモジュラジャックであるモデム端子９６と、通信機器９２におけるＲＪ−１１規格のモジュラジャックであるライン端子９７とに接続される。
【００３９】
配線ボックス１は、図１〜図３に示すように、樹脂製のボディ１１および樹脂製のカバー１２により構成され、端子台１３と、電源コンセント１４と、ハブ１６、通信機器接続端子２１、電話用ライン接続端子２２、ＬＡＮ用ライン接続端子２３およびスイッチ２４を含む配線装置本体１５とを内部に収納している。
【００４０】
ボディ１１は、前方に方形状の開口１１ａを有する箱状に形成され、壁側からの先行配線されたケーブル（Ｃ１，Ｃ２，Ｃ３）をまとめて当該配線ボックス１内に挿入するためのケーブル挿入孔１１ｂを底部１１０の下部に有しているほか、当該配線ボックス１を壁にねじ止めするためのねじ（図示せず）の足部挿通用のねじ挿通孔１１ｃを底部１１０の四隅の各々に有している。なお、ねじ挿通孔１１ｃは、底部１１０の四隅に限らず、別の位置に設けられる構成でもよい。
【００４１】
カバー１２は、ボディ１１の開口１１ａを閉塞する形状（後方に開口する箱状）に形成され、電源コンセント１４を使用可能に外部に露出する窓孔１２ａを有しているほか、配線装置本体１５のカバー１５２の前面部を、当該カバー１２の前面部と面一に外部に露出する窓孔１２ｂを有している。そして、カバー１５２は、通信機器接続端子２１、電話用ライン接続端子２２、ＬＡＮ用ライン接続端子２３およびスイッチ２４を、それぞれ使用可能に外部に露出する窓孔１５２ａ、窓孔１５２ｂ、窓孔１５２ｃおよび窓孔１５２ｄを前面部に有している。つまり、カバー１２およびカバー１５２により構成される全体としてのカバーは、電源コンセント１４、通信機器接続端子２１、電話用ライン接続端子２２、ＬＡＮ用ライン接続端子２３およびスイッチ２４を、それぞれ使用可能に外部に露出する窓孔１２ａ、窓孔１５２ａ、窓孔１５２ｂ、窓孔１５２ｃおよび窓孔１５２ｄを有しているのである。
【００４２】
端子台１３は、例えば、ボディおよび裏板により前面縦長矩形状の角状に形成され、電気通信事業者の電気通信設備による加入者線のラインＬ１，Ｌ２のケーブルＣ１と接続される加入者線接続端子１３１と、各部屋に設置された電話コンセント５１からの複数のケーブル（２線ケーブル）Ｃ２とそれぞれ接続される複数の電話コンセント接続端子１３２と、機器用端子１３３と、電話用端子１３４とを内部に収納している。なお、電話コンセント５１は、ＲＪ−１１規格のモジュラジャック式の配線器具であり、取付枠に取り付けられて壁に埋設されている。
【００４３】
加入者線接続端子１３１、複数の電話コンセント接続端子１３２、機器用端子１３３および電話用端子１３４は、２極用基板実装型の速結端子ブロックであり、プリント回路基板１３０に実装され、このプリント回路基板１３０は、各速結端子ブロックの両電線挿入孔が端子台１３の対応する窓孔の位置に来るように端子台１３内に収納される。そして、加入者線接続端子１３１および機器用端子１３３は、プリント回路基板１３０のパターンにより、各ライン同士（Ｌ１同士、Ｌ２同士）が個別に接続される。また、複数の電話コンセント接続端子１３２および電話用端子１３４は、プリント回路基板１３０のパターンにより、各ライン同士が個別に接続される。なお、機器用端子１３３および電話用端子１３４の各々は、両電線挿入孔が、端子台１３の前面の窓孔から露出する構成でも、端子台１３の側面（図３の例では上側面、左側面または下側面）の窓孔から露出する構成でもよい。
【００４４】
ハブ１６は、スター型ＬＡＮで使われる集線装置であり、ＲＪ−４５規格のモジュラジャック式のポート１６０を複数有し、各ポート１６０が、各部屋に設置されたＬＡＮコンセント５２からのケーブル（８線ケーブル）Ｃ３と接続される。このケーブルＣ３の一端には、ハブ１６のポート１６０がモジュラジャック式であるため、ＲＪ−４５規格のモジュラプラグが取り付けられる。一方、ケーブルＣ３の他端は、ＬＡＮコンセント５２に接続されるが、このＬＡＮコンセント５２は、取付枠に取り付けられて壁に埋設されるＲＪ−４５規格のモジュラジャック式の配線器具であり、通常、速結端子または成端機構を持つ構成になっているので、ＬＡＮコンセント５２と直結される。
【００４５】
通信機器接続端子２１は、加入者線接続端子１３１と接続されるとともに、通信機器９１，９２のライン端子９３からのケーブル（２線ケーブル）Ｃ７と接続され、これらケーブルＣ７および加入者線接続端子１３１を電気的に接続するものである。具体的には、ＲＪ−１１規格のモジュラジャック式の接続部と、この接続部と電気的に接続されるとともに、ケーブル（２線ケーブル）Ｃ４を介して（本実施形態１ではスイッチ２４およびケーブルＣ４を介して）機器用端子１３３と接続される基端部とにより構成される。そして、ケーブルＣ７は、ＲＪ−１１規格のモジュラプラグを両端に有するモジュラケーブルであり、ライン端子９３からのモジュラケーブルＣ７のモジュラプラグが、上記モジュラジャック式の接続部に接続されることで、モジュラケーブルＣ７（ライン端子９３）および加入者線接続端子１３１が電気的に接続される。
【００４６】
電話用ライン接続端子２２は、各電話コンセント接続端子１３２と接続されるとともに、通信機器９１，９２の電話端子９４からのケーブル（２線ケーブル）Ｃ８と接続され、これらケーブルＣ８および各電話コンセント接続端子１３２を電気的に接続するものである。具体的には、ＲＪ−１１規格のモジュラジャック式の接続部と、この接続部と電気的に接続されるとともにケーブル（２線ケーブル）Ｃ５を介して電話用端子１３４と接続される基端部とにより構成される。そして、ケーブルＣ８は、ＲＪ−１１規格のモジュラプラグを両端に有するモジュラケーブルであり、電話端子９４からのモジュラケーブルＣ８のモジュラプラグが、電話用ライン接続端子２２のモジュラジャック式の接続部に接続されることで、モジュラケーブルＣ８（電話端子９４）および各電話コンセント接続端子１３２が電気的に接続される。
【００４７】
ＬＡＮ用ライン接続端子２３は、ハブ１６のポート１６０と接続されるとともに、通信機器９１，９２のＬＡＮ端子９５からのケーブル（８線ケーブル）Ｃ９と接続され、これらケーブルＣ９およびハブ１６のポート１６０を電気的に接続するものである。具体的には、ＲＪ−４５規格のモジュラジャック式の接続部と、この接続部と電気的に接続されるとともにケーブル（８線ケーブル）Ｃ６を介してハブ１６のポート１６０と接続される基端部とにより構成される。そして、ケーブルＣ９は、ＲＪ−４５規格のモジュラプラグを両端に有するモジュラケーブルであり、ＬＡＮ端子９５からのモジュラケーブルＣ９のモジュラプラグが、ＬＡＮ用ライン接続端子２３のモジュラジャック式の接続部に接続されることで、モジュラケーブルＣ９（ＬＡＮ端子９５）およびハブ１６のポート１６０が電気的に接続される。
【００４８】
上記通信機器接続端子２１、電話用ライン接続端子２２およびＬＡＮ用ライン接続端子２３は、本配線装置を構成する配線ボックス１に具備され、配線ボックス１の前面に配置される。なお、本実施形態１では、ケーブルＣ４〜Ｃ６は、例えば製造段階で予め接続される。
【００４９】
スイッチ２４は、接続形態が、通信機器９１，９２と接続される接続方式（以下「第１接続方式」という。）である場合には、加入者線接続端子１３１を通信機器接続端子２１に接続する一方、接続形態が第１接続方式でない場合には、加入者線接続端子１３１を少なくとも電話用ライン接続端子２２に接続するものである。一具体例としては、図５に示すように、Ｌ１，Ｌ２の各ライン毎に、加入者線接続端子１３１に接続される機器用端子１３３と通信機器接続端子２１および電話用ライン接続端子２２との間に介設されるｅ回路スイッチにより構成される。なお、通信機器接続端子２１、電話用ライン接続端子２２およびスイッチ２４などは、プリント基板（後述の図９の１５０参照）に実装され、ケーブルＣ４はそのプリント基板に接続される。
【００５０】
次に、上記構成の本配線装置の動作について説明する。先ず、施工時の施工者による接続手順の一例について説明する。先行配線された加入者線のケーブルＣ１を、ボディ１１のケーブル挿入孔１１ｂから配線ボックス１内に挿入し、端子台１３の加入者線接続端子１３１に接続する。また、先行配線された各ケーブルＣ２を、ボディ１１のケーブル挿入孔１１ｂから配線ボックス１内に挿入し、端子台１３の各電話コンセント接続端子１３２に接続する。このとき、各ケーブルのＬ１，Ｌ２の各導体線を、対応する端子の電線挿入孔に挿入することにより、それら各導体線が、対応する端子に速結される。
【００５１】
一方、先行配線された各ケーブルＣ３については、これら各ケーブルＣ３を、ボディ１１のケーブル挿入孔１１ｂから配線ボックス１内に挿入し、ＲＪ−４５規格のモジュラプラグで成端した後、ハブ１６の各ポート１６０に接続する。これにより、施工時の施工者による接続処理が終了し、利用者が自宅の通信システムに合うように接続形態を選択することができる。
【００５２】
例えば、通信機器９１，９２により接続形態を第１接続方式にする場合、先ず、それら通信機器９１，９２を棚３１上に設置する。続いて、通信機器９１，９２をモジュラケーブル９８で接続するとともに、通信機器９１，９２のライン端子９３、電話端子９４およびＬＡＮ端子９５を、それぞれ、モジュラケーブルＣ７、モジュラケーブルＣ８およびモジュラケーブルＣ９により、本配線装置の通信機器接続端子２１、電話用ライン接続端子２２およびＬＡＮ用ライン接続端子２３に接続する。また、通信機器９１，９２の電源コードの電源プラグを電源コンセント１４に接続する。この後、スイッチ２４を操作して、加入者線接続端子１３１を通信機器接続端子２１に接続する。これにより、利用者による接続処理が終了する。
【００５３】
そして、この第１接続方式の場合の本配線装置の動作は次の通りである。すなわち、加入者線のラインは、通信機器９１，９２において、電話用のラインとＬＡＮ用のラインとに分けられて電話端子９４およびＬＡＮ端子９５からそれぞれ各電話コンセント接続端子１３２およびハブ１６に接続されるとともに、それら電話用のラインとＬＡＮ用のラインとが統合されてライン端子９３から加入者線のラインに接続される。これにより、各電話コンセント５１が電話用のラインに接続され、各ＬＡＮコンセント５２がＬＡＮ用のラインに接続されるので、利用者は、電話コンセント５１に電話機を接続することにより電話をすることができるとともに、ＬＡＮコンセント５２に例えばインターネット端末を接続することにより、インターネットを介したデータ通信が可能となる。
【００５４】
これに対して、第１接続方式にしない場合、スイッチ２４を操作して、加入者線接続端子１３１を少なくとも電話用ライン接続端子２２に接続する。これにより、利用者による接続処理が終了する。
【００５５】
そして、この第１接続方式にしない場合の本配線装置の動作は次の通りである。すなわち、加入者線のラインは、スイッチ２４により少なくとも電話用ライン接続端子２２に接続されるので、その電話用ライン接続端子２２を介して、各電話コンセント接続端子１３２に接続されることになる。これにより、各電話コンセント５１が加入者線のラインに接続されるので、利用者は、電話コンセント５１に電話機を接続することにより電話をすることができる。
【００５６】
以上、本実施形態１によれば、通信機器接続端子２１、電話用ライン接続端子２２およびＬＡＮ用ライン接続端子２３が配線ボックス１近傍に配置されるので、配線ボックス１の有る所で、しかも配線ボックス１の設置場所とは異なる部屋の電話コンセント５１およびＬＡＮコンセント５２が無駄になる戻し配線をすることなく、各種通信方式の少なくとも一つの通信機器を簡単に接続することができる。
【００５７】
本実施形態１では、配線ボックス１の近傍に、通信機器９１，９２を設置する棚３１が設けられ、配線ボックス１が、モジュラジャック式の、通信機器接続端子２１、電話用ライン接続端子２２およびＬＡＮ用ライン接続端子２３を一体に備える構成になっているので、通信機器９１，９２と配線ボックス１との接続が容易となる。
【００５８】
また、通信機器９１，９２を設置する設置手段として、配線ボックス１が設置される壁の下側に垂直に取り付けられる棚３１が設けられているので、設置可能な通信機器の制限を無くし、様々な通信機器を棚３１に設置することができる。
【００５９】
また、配線ボックス１が、第１接続方式である場合には、加入者線接続端子１３１を通信機器接続端子２１に接続する一方、第１接続方式でない場合には、加入者線接続端子１３１を少なくとも電話用ライン接続端子２２に接続するスイッチ２４を備えるので、第１接続方式以外の接続法式に対応可能となる。例えば、通信機器９１，９２を使用しない場合、スイッチ２４により加入者線接続端子１３１を少なくとも電話用ライン接続端子２２に接続することにより、加入者線接続端子１３１が電話用ライン接続端子２２を介して各電話コンセント接続端子１３２に接続されるので、部屋に設置された電話コンセント５１に電話機を接続して電話をすることができる。
【００６０】
また、端子台１３が、複数の電話コンセント接続端子１３２の各々と電話用ライン接続端子２２に接続される電話用端子１３４とを、Ｌ１，Ｌ２のライン毎に電気的に接続するためのプリント回路基板１３０を備えているので、端子台１３に対して、複数の電話コンセント５１からの各ケーブルＣ２をスター配線で接続することができ、断線の影響を低減することができるほか、本配線装置側での集中管理がし易くなる。
【００６１】
さらに、電源コンセント１４が配線ボックス１と一体に設けられているので、電源コンセント１４に通信機器（図２の例では通信機器９２）の電源プラグを接続することができる。これにより、通信機器の電源接続が容易となる。
【００６２】
（実施形態２）
図６は本発明による実施形態２の配線装置を壁に取り付けた様子を示す図である。
【００６３】
本実施形態２の配線装置（システム）は、実施形態１において、図６に示すように、少なくとも一つの通信機器、ここでは通信機器９１，９２を設置する設置手段として、棚３１に代えて、配線ボックス１が設置される壁の側方に平行に取り付けられる取付板３２を備えているほか、これら配線ボックス１および取付板３２を収納する枠状のボディ７１およびこの枠内を閉塞する図示しないカバーを備えていることを特徴とする。
【００６４】
このような構成の本実施形態２によっても、配線ボックス１が設置される壁の側方に平行に取り付けられる取付板３２が設けられるので、設置可能な通信機器の制限を無くし、様々な通信機器を設置手段に設置することができる。また、ボディ７１およびカバーにより構成されるハウジング内に、配線ボックス１および取付板３２を収納することにより、見栄えを良くすることができる。
【００６５】
（実施形態３）
図７は本発明による実施形態３の配線装置を示す図である。
【００６６】
本実施形態３の配線装置（システム）は、実施形態１，２において、通信機器接続端子２１、電話用ライン接続端子２２およびＬＡＮ用ライン接続端子２３を、配線ボックス１近傍の周辺に別置したことを特徴とする。
【００６７】
図７の例では、通信機器接続端子２１、電話用ライン接続端子２２およびＬＡＮ用ライン接続端子２３は、配線ボックス１近傍の右隣に別置され、それらの端子からの先行配線されたケーブルＣ４，Ｃ５，Ｃ６が、ボディ１１のケーブル挿入孔１１ｂから配線ボックス１内に挿入され、機器用端子１３３、電話用端子１３４およびハブ１６のポート１６０にそれぞれ接続される構成になっている。
【００６８】
通信機器接続端子２１および電話用ライン接続端子２２は、いずれも取付枠に取り付けられて壁に埋設されるＲＪ−１１規格のモジュラジャック式の配線器具であり、通常、速結端子または成端機構を持つ構成になっているので、ケーブルＣ４，Ｃ５とそれぞれ直結される。
【００６９】
ＬＡＮ用ライン接続端子２３は、取付枠に取り付けられて壁に埋設されるＲＪ−４５規格のモジュラジャック式の配線器具であり、通常、速結端子または成端機構を持つ構成になっているので、ケーブルＣ６と直結される。なお、ハブ１６はＲＪ−４５規格のモジュラジャック式のポートを有するので、そのポートに接続されるケーブルＣ６の端部には、実施形態１と同様に、ＲＪ−４５規格のモジュラプラグが取り付けられる。また、図７において、６は上記取付枠に取り付けられるプレート枠である。
【００７０】
このような構成の本実施形態３によっても、通信機器９１，９２を配線ボックス１の近傍に設置することができるので、通信機器９１，９２と通信機器接続端子２１、電話用ライン接続端子２２およびＬＡＮ用ライン接続端子２３との接続が容易となる。また、例えば、ＡＤＳＬやＩＰ電話サービスを使用した場合でも、各部屋でインターネットや電話を使用することができる。
【００７１】
（実施形態４）
図８は本発明による実施形態４の配線装置における通信機器接続端子のシャッタ閉時の正面図（ａ）およびシャッタ開時の正面図（ｂ）、図９は同通信機器接続端子のシャッタ開時の斜視図、図１０は同通信機器接続端子の断面図、図１１は同通信機器接続端子内のスイッチの回路図である。
【００７２】
本実施形態４の配線装置は、実施形態１〜３のいずれかにおいて、図８〜図１１に示すように、スイッチ２４が、通信機器接続端子２１の内部に設けられ、Ｌ１，Ｌ２の各ライン毎に、通信機器接続端子２１と電話用ライン接続端子２２との間に介設されるｂ回路スイッチであることを特徴とする。
【００７３】
図８〜図１１の構成例は、実施形態１に対応する構成になっており、本実施形態４のスイッチ２４は、実施形態１と同様に配線装置本体１５に設けられ、図外の電話用ライン接続端子２２などとともにプリント基板１５０に実装されている。
【００７４】
そして、本実施形態４のスイッチ２４は、接続形態が第１接続方式であり、少なくとも一つの通信機器、ここでは通信機器９１，９２のライン端子９３からのモジュラケーブルＣ７のモジュラプラグＣ７１が通信機器接続端子２１に接続される場合には、モジュラプラグＣ７１により押下されて、通信機器接続端子２１および電話用ライン接続端子２２間を開とするようになっている。一方、スイッチ２４は、接続形態が第１接続方式でなく、通信機器９１，９２のライン端子９３からのモジュラケーブルＣ７のモジュラプラグＣ７１が通信機器接続端子２１に接続されない場合には、通信機器接続端子２１および電話用ライン接続端子２２間を閉とするようになっている。
【００７５】
このような構成の本実施形態４によれば、通信機器９１，９２のライン端子９３からのモジュラケーブルＣ７のモジュラプラグＣ７１を通信機器接続端子２１に接続することにより、実施形態１〜３のいずれかと同様に、第１接続方式に合わせた使用が可能になる。また、通信機器９１，９２を使用しない場合、スイッチ２４がオンになって通信機器接続端子２１および電話用ライン接続端子２２間が閉になり、加入者線接続端子１３１が電話用ライン接続端子２２に切替接続されることにより、加入者線接続端子１３１が電話用ライン接続端子２２を介して各電話コンセント接続端子１３２に接続されるので、部屋に設置された電話コンセント５１に電話機を接続して電話をすることができる。
【００７６】
（実施形態５）
図１２は本発明による実施形態５の配線装置を示す図である。
【００７７】
本実施形態５の配線装置（システム）は、図１２に示すように、実施形態１〜４のいずれか（図１２の例では実施形態３）において、電源コンセント１４を配線ボックス１と別体で備えることを特徴とする。
【００７８】
このような構成の本実施形態５によれば、電源コンセント１４に通信機器の電源プラグを接続することができるので、通信機器の電源接続が容易となる。
【００７９】
（実施形態６）
図１３は本発明による実施形態６の配線装置の配線ボックス内を示す図である。
【００８０】
本実施形態６の配線装置は、図１３に示すように、実施形態１〜４のいずれか（同図では例えば実施形態１）において、ボディ１１が、いわゆる１個モジュール寸法の配線器具を最大で３個取付可能な取付枠４をねじ止めするための螺着部１１０ａ，１１０ａを有していることを特徴とする。
【００８１】
例えば、取付枠４を取り付ける箇所には、取付枠４に取り付けられた配線器具の電源コンセント１４を、カバー１２の窓孔１２ａから、そのカバー１２の前面とほぼ面一となるように外部に露出させるために、台座部が設けられており、その台座部には、配線器具の一部を収納するための凹所（または孔）が取付枠４の枠内の箇所に形成されている。そして、その凹所上下の台座部にそれぞれ上記螺着部１１０ａ，１１０ａが設けられている。
【００８２】
また、図１３において、１１ｅは、交流電源（商用電源）からの先行配線された電源ケーブル（図示せず）を壁側から配線ボックス１内に挿入するための電源ケーブル挿入孔であり、その電源ケーブルは、取付枠４に着脱自在に取り付けられる電源コンセント１４に接続される。なお、螺着部１１０ａは、例えば、ねじ止め用の肉厚部でも、ねじの足部よりも小径の溝穴でも、あるいはナット付きねじ孔などでもよい。
【００８３】
このような構成の本実施形態６によれば、ボディ１１に取付枠４をねじ止めすることにより、取付枠４に電源コンセント１４（図１３の例では２個口の電源コンセント）を着脱自在に取り付けることができるので、電源コンセントの口数の変更が可能となり、通信機器の台数に合わせた電源の確保が可能となる。
【００８４】
（実施形態７）
図１４は本発明による実施形態７の配線装置の配線ボックス内を示す図、図１５は同配線ボックス内に装着可能な電源コンセントの例を示す斜視図である。
【００８５】
本実施形態７の配線装置は、実施形態６において、図１４に示すように、実施形態６の取付枠４に代えて、ボディ１１が、その取付枠４に対応する取付枠部１１０ｂを一体に有していることを特徴とする。
【００８６】
このような構成の本実施形態７によれば、必要に応じて図１５に示すような電源コンセント１４（同図では１個口の電源コンセント）を取付枠部１１０ｂに着脱自在に取り付けることができるので、電源コンセントの口数の変更が可能となり、通信機器の台数に合わせた電源の確保が可能となるほか、取付枠４が不要となる。
【００８７】
（実施形態８）
図１６は本発明による実施形態８の配線装置の斜視図（ａ）、同配線装置のカバーを外した場合の斜視図（ｂ）および同配線装置のカバーを外した場合の別の角度から見た斜視図（ｃ）である。
【００８８】
本実施形態８の配線装置は、実施形態３を除く上記各実施形態において、図１６に示すように、例えば実施形態１と同様に、配線ボックス１が、端子台１３と、電源コンセント１４と、ハブ１６、通信機器接続端子２１、電話用ライン接続端子２２、ＬＡＮ用ライン接続端子２３およびスイッチ２４を含む配線装置本体１５とを内部に収納し、カバー１２およびカバー１５２により構成される全体としてのカバーが、電源コンセント１４、通信機器接続端子２１、電話用ライン接続端子２２、ＬＡＮ用ライン接続端子２３およびスイッチ２４を、それぞれ使用可能に外部に露出する窓孔１２ａ、窓孔１５２ａ、窓孔１５２ｂ、窓孔１５２ｃおよび窓孔１５２ｄを有している。
【００８９】
そして、本実施形態８の特徴として、配線ボックス１は、ハブ１６の接続部となる各ポート１６０が自己の側方（図１６（ｃ）では下方）を向くようにそのハブ１６を収納し、ボディ１１は、各ＬＡＮコンセント５２からのケーブルＣ３のモジュラプラグをハブ１６のポート１６０に接続するための空所Ａを上記ハブ１６の接続部周辺に有している構成になっている。
【００９０】
このような構成の配線装置では、施工者は、図１６（ｂ）に示すように、カバー１２を開けることにより、加入者線接続端子１３１、各電話コンセント接続端子１３２およびハブ１６の各ポート１６０に対する配線処理を行うことができる。一方、利用者は、図１６（ａ）に示すように、カバー１２が閉まっている状態で、通信機器接続端子２１、電話用ライン接続端子２２およびＬＡＮ用ライン接続端子２３に対して、通信機器の配線処理を行うことができるほか、電源コンセント１４に通信機器の電源プラグを接続することができる。
【００９１】
また、本実施形態８によれば、各ＬＡＮコンセント５２からのケーブルＣ３をハブ１６に接続するための空所Ａが、ハブ１６の接続部周辺のボディ１１に設けられているので、各ＬＡＮコンセント５２からのケーブルＣ３をハブ１６に接続し易くなる。
【００９２】
（実施形態９）
図１７は本発明による実施形態９の配線装置の斜視図（ａ）および同配線装置の下カバーを外した場合の斜視図（ｂ）である。
【００９３】
本実施形態９の配線装置は、実施形態８において、図１７に示すように、カバー１２が、配線装置本体１５の下端から上方を覆う上カバー１２１と、配線装置本体１５の下端から下方を覆う下カバー１２２とにより構成され、下カバー１２２を取り外した場合に、ハブ１６の接続部周辺が使用可能に露出することを特徴とする。
【００９４】
このような構成の本実施形態９によれば、利用者は、下カバー１２２を取り外すことにより、配線ボックス１側に設置していても支障のないＬＡＮ機器をハブ１６に接続することができる。
【００９５】
（実施形態１０）
図１８は本発明による実施形態１０の配線装置の接続例を示す図である。
【００９６】
本実施形態１０の配線装置は、図１８に示すように、実施形態１〜９のいずれか（同図では例えば実施形態１）において、上記実施形態と同様に、通信機器９１，９２としてスプリッタおよびルータ内蔵ＡＤＳＬモデムをそれぞれ使用し、端子台１３およびハブ１６と接続される各電話コンセント５１および各ＬＡＮコンセント５２が、それぞれ１個ずつ取付枠に取り付けられて所望の部屋の壁に埋設されていることを特徴とする。
【００９７】
このような構成の本実施形態１０によれば、電話コンセント５１およびＬＡＮコンセント５２の有る部屋において、電話コンセント５１に電話機を接続することにより電話をすることができるとともに、ＬＡＮコンセント５２にインターネット端末を接続することにより、インターネットを介したデータ通信が可能となる。
【００９８】
（実施形態１１）
図１９は本発明による実施形態１１の配線装置の接続例を示す図である。
【００９９】
本実施形態１１の配線装置は、実施形態１０において、図１９に示すように、通信機器９１，９２としてＩＰ電話アダプタおよびルータをそれぞれ使用することを特徴とする。
【０１００】
このような構成の本実施形態１１によっても、電話コンセント５１およびＬＡＮコンセント５２の有る部屋において、電話コンセント５１にＩＰ電話機を接続することによりＩＰ電話をすることができるとともに、ＬＡＮコンセント５２にインターネット端末を接続することにより、インターネットを介したデータ通信が可能となる。
【０１０１】
なお、実施形態１１では、ＩＰ電話アダプタおよびルータが使用される構成になっているが、これに限らず、例えばＤＳＵ付きＴＡが使用される構成でもよい。
【０１０２】
（実施形態１２）
図２０は本発明による実施形態１２の配線装置の接続例を示す図である。
【０１０３】
本実施形態１２の配線装置は、実施形態１０において、図２０に示すように、通信機器９１，９２としてＣＡＴＶモデムおよびルータをそれぞれ使用することを特徴とする。
【０１０４】
本実施形態１２の通信機器９１，９２は、ライン端子９７およびＬＡＮ端子９５を備え、所定のケーブルにより互いに接続されることにより、ライン端子９７に電気的に接続される電気通信事業者の電気通信設備による通信網用のラインをＬＡＮ用のラインにしてＬＡＮ端子９５に接続するとともに、そのＬＡＮ用のラインを上記通信網用のラインにしてライン端子９７に接続する機能を有している。なお、加入者線接続端子１３１には、電話用の加入者線が接続されるが、その加入者線の電気通信事業者と上記通信網の電気通信事業者は同じ場合もあれば異なる場合もある。
【０１０５】
このような構成の本実施形態１２によっても、電話コンセント５１およびＬＡＮコンセント５２の有る部屋において、電話コンセント５１に電話機を接続することにより電話をすることができるとともに、ＬＡＮコンセント５２にインターネット端末を接続することにより、インターネットを介したデータ通信が可能となる。
【０１０６】
なお、実施形態１２では、ＣＡＴＶモデムおよびルータが使用される構成になっているが、これに限らず、ＦＴＴＨ用メディアコンバータおよびルータが使用される構成でもよい。この構成でも、実施形態１２と同様の効果を奏することができる。
【０１０７】
（実施形態１３）
図２１は本発明による実施形態１３の配線装置のカバー開時の斜視図である。
【０１０８】
本実施形態１３の配線装置は、図２１に示すように、実施形態１〜１２のいずれか（同図では例えば実施形態１）において、配線ボックス１のカバー１２が、ボディ１１の開口１１ａを開閉自在に閉塞する扉式になっていることを特徴とする。
【０１０９】
カバー１２は、ボディ１１およびカバー１２の左側面部１１３，１２３の上下の各々に設けられた、例えば従来のヒンジ機構と同様のヒンジ部１００により右開きの構成になっている。
【０１１０】
そして、カバー１２の右側面部１２４の下部には、ボディ１１に係止するとともに解除操作によりその係止を解除する係止・解除部１２５が一体に形成されている。この係止・解除部１２５は、カバー１２の右側面部１２４の一部であって上下両端が前方から後方に伸びるスリット１２５ｄ，１２５ｄによりそれぞれ挟まれることで左右方向に弾性変形自在となっている基部１２５ａと、この基部１２５ａの先端から内向きに延出される延出部１２５ｂと、この先端に形成されボディ１１に係止する係止爪１２５ｃとにより構成されている。そして、ボディ１１の右側面部１１４の下部には、係止・解除部１２５と係止する係止部（図では隠れている）が形成されている。
【０１１１】
また、ボディ１１の上側面部１１１の左右には、カバー１２の閉時に、そのカバー１２の上側面部１２１の内側を保持（または弾性保持）する保持片１１１ａ，１１１ａが形成されている。
【０１１２】
このような構成の本実施形態１３によれば、カバー１２を閉める方向にその右側面部１２４側を押すことにより、係止・解除部１２５がボディ１１の係止部に係止するので、カバー１２を簡単に閉めて固定することができる。また、係止・解除部１２５の基部１２５ａを押すことにより、延出部１２５ｂおよび係止爪１２５ｃが内側に移動して係止爪１２５ｃによるボディ１１の係止部への係止が解除されるので、そのままカバー１２を開ける方向にその右側面部１２４側を引けば、カバー１２を簡単に開けることができる。
【０１１３】
なお、実施形態１３の変形例として、ボディ１１およびカバー１２の左側面部１１３，１２３の上下の各々に設けられたヒンジ部１００を廃止し、ボディ１１の右側面部１１４の係止部と、カバー１２の右側面部１２４の係止・解除部１２５とを、それぞれ、ボディ１１の左側面部１１３と、カバー１２の左側面部１２３とにも設ける構成でもよい。この構成によれば、カバー１２の各係止・解除部１２５がボディ１１の各係止部に係止するように、カバー１２をボディ１１に被せることにより、カバー１２をボディ１１に簡単に取り付けることができる。また、カバー１２の各係止・解除部１２５の基部１２５ａを押しながら、カバー１２を開ける方向に引くことにより、カバー１２をボディ１１から簡単に取り外すことができる。また、この構成によれば、棚３１を使用する場合であっても、その棚３１に配置された通信機器に邪魔されることなく、配線ボックス１のカバー１２を開閉することができる。
【０１１４】
（実施形態１４）
図２２は本発明による実施形態１４の配線装置の斜視図である。
【０１１５】
本実施形態１４の配線装置は、図２２に示すように、実施形態１〜１３のいずれか（同図では例えば実施形態１）において、配線ボックス１のカバー１２が、ねじＳによりボディ１１にねじ止めされることを特徴とする。
【０１１６】
具体的には、カバー１２の前面部１２０の四隅の各々には、ねじＳの足部挿通用のねじ挿通孔（図ではねじＳの頭部により隠れている）が穿設されている。一方、ボディ１１の底部１１０における上記ねじ挿通孔に対応する位置には、前方に突出し、先端側にねじＳを螺着するための螺着部が形成されたダボ（図示せず）が形成されている。螺着部は、例えばねじＳよりも小径の溝穴などにより形成される。
【０１１７】
このような構成の本実施形態１４によれば、配線ボックス１のカバー１２が、ねじＳによりボディ１１にねじ止めされるので、カバー１２が容易に開かないようにすることができる。
【０１１８】
なお、実施形態１４の変形例として、ねじ止めの構成に代えて、カバー１２をボディ１１に磁石により固定する構成でもよい。磁石と例えば鉄板とを少なくとも一組設け、磁石および鉄板の一方をカバー１２に固着し、磁石および鉄板の他方をボディ１１に固着する構成にしてもよい。このような構成によれば、配線ボックス１のカバー１２を簡単に開閉することができる。
【図面の簡単な説明】
【０１１９】
【図１】本発明による実施形態１の配線装置の概略構成図である。
【図２】同配線装置の斜視図である。
【図３】同配線装置を構成する配線ボックス内の一部を示す図である。
【図４】同配線装置に通信機器を接続した様子を示す図である。
【図５】同配線装置のスイッチの回路図である。
【図６】本発明による実施形態２の配線装置を壁に取り付けた様子を示す図である。
【図７】本発明による実施形態３の配線装置を示す図である。
【図８】本発明による実施形態４の配線装置における通信機器接続端子のシャッタ閉時の正面図（ａ）およびシャッタ開時の正面図（ｂ）である。
【図９】同通信機器接続端子のシャッタ開時の斜視図である。
【図１０】同通信機器接続端子の断面図である。
【図１１】同通信機器接続端子内のスイッチの回路図である。
【図１２】本発明による実施形態５の配線装置を示す図である。
【図１３】本発明による実施形態６の配線装置の配線ボックス内を示す図である。
【図１４】本発明による実施形態７の配線装置の配線ボックス内を示す図である。
【図１５】同配線ボックス内に装着可能な電源コンセントの例を示す斜視図である。
【図１６】本発明による実施形態８の配線装置の斜視図（ａ）、同配線装置のカバーを外した場合の斜視図（ｂ）および同配線装置のカバーを外した場合の別の角度から見た斜視図（ｃ）である。
【図１７】本発明による実施形態９の配線装置の斜視図（ａ）および同配線装置の下カバーを外した場合の斜視図（ｂ）である。
【図１８】本発明による実施形態１０の配線装置の接続例を示す図である。
【図１９】本発明による実施形態１１の配線装置の接続例を示す図である。
【図２０】本発明による実施形態１２の配線装置の接続例を示す図である。
【図２１】本発明による実施形態１３の配線装置のカバー開時の斜視図である。
【図２２】本発明による実施形態１４の配線装置の斜視図である。
【図２３】従来の配線装置に電話機および通信機器を接続した様子を示す図である。
【符号の説明】
【０１２０】
１  配線ボックス
１１  ボディ
１２  カバー
１３  端子台
１３１  加入者線接続端子
１３２  電話コンセント接続端子
１３３  機器用端子
１３４  電話用端子
１４  電源コンセント
１５  配線装置本体
１６  ハブ
２１  通信機器接続端子
２２  電話用ライン接続端子
２３  ＬＡＮ用ライン接続端子
２４  スイッチ
３１  棚
３２  取付板
５１  電話コンセント
５２  ＬＡＮコンセント
６  プレート枠
９１  通信機器
９２  通信機器
９３  ライン端子
９４  電話端子
９５  ＬＡＮ端子
９６  モデム端子
９７  ライン端子
９８  モジュラケーブル
【図１】
2005318449.tif 000003
【図２】
2005318449.tif 000004
【図３】
2005318449.tif 000005
【図４】
2005318449.tif 000006
【図５】
2005318449.tif 000007
【図６】
2005318449.tif 000008
【図７】
2005318449.tif 000009
【図８】
2005318449.tif 000010
【図９】
2005318449.tif 000011
【図１０】
2005318449.tif 000012
【図１１】
2005318449.tif 000013
【図１２】
2005318449.tif 000014
【図１３】
2005318449.tif 000015
【図１４】
2005318449.tif 000016
【図１５】
2005318449.tif 000017
【図１６】
2005318449.tif 000018
【図１７】
2005318449.tif 000019
【図１８】
2005318449.tif 000020
【図１９】
2005318449.tif 000021
【図２０】
2005318449.tif 000022
【図２１】
2005318449.tif 000023
【図２２】
2005318449.tif 000024
【図２３】
2005318449.tif 000025